(57)【要約】【課題】小型で占有スペースが少なく、冷却水用配管に直列に接続して使用可能で、冷却水を良好に送水することができる冷却水用ポンプを提供する。【解決手段】この冷却水用ポンプは、冷却水用の配管に直列に接続され、軸流型のインペラ１０をモータ５により回転駆動して冷却水を軸方向に送水する冷却水用ポンプである。ケーシング１の筒状の外壁部２の内側に、モータ５を収納するモータケース部４が連結部６，７を介して形成され、連結部６，７の周囲には冷却水の流通路３が形成される。連結部７内にリード線通路７ａが形成され、その中にモータ５へ通電するためのリード線５ｂが配設される。【選択図】図１
2004019511.tif 000002
【特許請求の範囲】
【請求項１】
冷却水用の配管に直列に接続され、軸流型のインペラをモータにより回転駆動して冷却水を軸方向に送水する冷却水用ポンプであって、
ケーシングの筒状の外壁部の内側に、前記モータを収納するモータケース部が連結部を介して形成され、該連結部の周囲には冷却水の流通路が形成され、該連結部内に該モータへ通電するための通電部材が配設されたことを特徴とする冷却水用ポンプ。
【請求項２】
前記連結部内にリード線通路が形成され、該リード線通路に前記モータのリード線が挿通されたことを特徴とする請求項１記載の冷却水用ポンプ。
【請求項３】
前記モータに端子受け部が設けられると共に、前記連結部内に挿入孔が形成され、該モータの外部端子部が前記ケーシングの外壁部の外側に配設され、該外部端子部には端子差込み部が突設され、該端子差込み部は該連結部の挿入孔を通して前記モータケース部内に挿入され、該端子差込み部の先端を該モータの端子受け部に差し込んで接続することを特徴とする請求項１記載の冷却水用ポンプ。
【発明の詳細な説明】
【０００１】
【発明の属する技術分野】
本発明は、車両に搭載される内燃機関の冷却水を循環させる冷却水用ポンプに関する。
【０００２】
【従来の技術】
内燃機関の冷却水を循環させる冷却水用ポンプは、一般に、機関のウオータジャケットの前部に設置され、機関のクランク軸、プーリ、ベルトなどを介して、機関により回転駆動され、冷却水を循環させる。この従来の冷却水用ポンプは、ケーシング内にラジアル型の羽根車を有して構成され、軸方向から吸引した冷却水を放射方向に吐出し、或いは放射方向から吸引した冷却水を軸方向に吐出して、冷却水をラジエータとウオータジャケットとの間で、循環させる。
【０００３】
【発明が解決しようとする課題】
ところで、この内燃機関の冷却に使用される冷却水（温水）は、通常、空調装置のヒータコアにも供給され、暖房用の加熱用媒体としても使用されている。このようなヒータコアに供給される冷却水（温水）は、電動ポンプが冷却水管路に接続され、この電動ポンプにより循環・供給されるが、従来のこの種の電動ポンプは、ラジアル型の羽根車を備えた構造であり、冷却水管路に対し突出するように取り付けられるため、占有スペースが大きく、例えば自動車の狭いエンジンルーム内等においては、占有スペースの小さい小型の冷却水用ポンプが要望されていた。
【０００４】
本発明は、上述の課題を解決するものであり、小型で占有スペースが少なく、冷却水用配管に直列に接続して使用可能で、冷却水を良好に送水することができる冷却水用ポンプを提供することを目的とする。
【０００５】
【課題を解決するための手段】
上記目的を達成するために、本発明の冷却水用ポンプは、冷却水用の配管に直列に接続され、軸流型のインペラをモータにより回転駆動して冷却水を軸方向に送水する冷却水用ポンプであって、ケーシングの筒状の外壁部の内側に、モータを収納するモータケース部が連結部を介して形成され、連結部の周囲には冷却水の流通路が形成され、連結部内にモータへ通電するための通電部材が配設されたことを特徴とする。
【０００６】
ここで、請求項２のように、連結部内にリード線通路を形成し、リード線通路にモータのリード線を挿通させることができる。
【０００７】
また、請求項３のように、モータに端子受け部を設けると共に、連結部内に挿入孔を形成し、モータの外部端子部をケーシングの外壁部の外側に配設し、外部端子部には端子差込み部が突設され、端子差込み部は連結部の挿入孔を通してモータケース部内に挿入され、端子差込み部の先端をモータの端子受け部に差し込んで接続するように構成することができる。
【０００８】
【作用】
上記構成の冷却水用ポンプは、軸流型のインペラをモータにより回転駆動して冷却水を軸方向に送水する構造であり、ケーシングの筒状の外壁部の内側に、モータを収納するモータケース部を連結部を介して配置し、連結部の周囲に冷却水の流通路を形成しているから、ポンプ本体はそれが接続される配管から突出する部分が最小となり、配管の外形の略延長上にケーシングの外壁が位置する状態となり、冷却水用の配管と略一体化してポンプを装着することができる。したがって、ポンプの占有スペースは非常に小さくなり、狭い空間内に配設された管路でもポンプを装着することができ、ポンプのレイアウトの自由度が向上する。
【０００９】
冷却水用ポンプでは、モータの駆動により軸流型のインペラが回転し、冷却水が軸方向に送水されるが、冷却水は管路に沿って軸方向に送水され、また、モータはモータケース部内に収納され作動音が遮音されるため、モータの作動音や流水音は小さく、ポンプの低騒音化を図ることができる。
【００１０】
【発明の実施の形態】
以下、本発明の一実施形態を図面に基づいて説明する。図１，図２は内燃機関の冷却水をヒータコア等に供給する冷却水用ポンプの断面図を示している。この冷却水用ポンプは、冷却水用の管路の一部に直列に接続されるように構成され、ケーシング１は、円筒型の外壁部２の内側に、モータケース部４を配設し、モータケース部４の外周部の外壁部２との間に、冷却水の流通路３を形成して構成される。
【００１１】
モータケース部４と外壁部２は、上部に設けた連結部６と下部に設けた連結部７により連結され、連結部６，７は流通路３内に配置され、連結部６，７の周囲に流通路３が形成される。モータケース部４内にモータ５が収納され、モータケース部４の前部にはケースカバー８が被せられ、モータ５の回転軸５ａがケースカバー８から前方に突出して設けられる。
【００１２】
ケーシング１は、例えば６６ナイロンなどの合成樹脂により一体成形され、ケースカバー８をモータケース部４の前部に被せる場合は、接着剤による接着、或いは熱溶着によりケースカバー８とモータケース部４を溶着することができる。そして、突出した回転軸５ａの先端には軸流型のインペラ１０が固定される。ケースカバー８の内側にシール材９が装着され、インペラ１０の軸部とケースカバー８の内周面との間を、シール材９によりシールするようにしている。
【００１３】
モータ５には、電源供給用のリード線５ｂが接続されるが、そのリード線を引き出すために、下部の連結部７にリード線引出用通路７ａが形成される。このリード線引出用通路７ａは軸方向に対し、斜めに傾斜して形成され、そのリード線引出用通路７ａも同様に傾斜している。そして、このリード線引出用通路７ａを通してリード線５ｂがケーシング１の外側に導出される。
【００１４】
製造工程で、モータ５をモータケース部４内に装着する場合、まず、そのリード線５ｂを内側からリード線引出用通路７ａに差込み、その後、モータ５をモータケース部４内に挿入し、その前部にケースカバー８を嵌着・固定する。このとき、リード線引出用通路７ａがリード線の差込み方向に傾斜して形成されているから、リード線をリード線引出用通路７ａに容易に差し込むことができ、モータ５の組み付け作業性を良好に行なうことができる。
【００１５】
そして、インペラ１０側のケーシング１の端部に吸入管１１が接続され、その反対側のケーシング１の他端に吐出管１３が接続される。吸入管１１の先端は狭窄されて吸入口１２が形成され、吐出管１３の先端も狭窄されて吐出口１４が形成される。吸入管１１と吐出管１３を、ケーシング１と同様な合成樹脂で形成した場合、製造工程において両者を溶着により簡単に接合することができ、これにより、製造コストも低く抑えることができる。
【００１６】
このような構成の冷却水用ポンプは、内燃機関の冷却水用管路の一部、例えば空調用のヒートコアに冷却水（温水）を循環供給するための管路の一部（直線部）に、吸入管１１と吐出管１３を直列に接続して使用される。ケーシング１の外側に引出されたモータ５のリード線５ｂは、図示しないモータの制御駆動回路に接続される。
【００１７】
図１，２に示すように、ポンプのケーシング１は、その両側の吸入管１１と吐出管１３が接続される配管から突出する部分が小さく、配管の外形の略延長上にケーシング１の外壁が位置するから、冷却水用の配管と略一体化してポンプが装着される。したがって、ポンプの占有スペースは非常に小さくなり、狭い空間内に配設された管路でも、他の部材と干渉せずにポンプを装着することができる。
【００１８】
リード線５ｂへの通電によりモータ５が回転駆動されると、その回転軸５ａの回転によってインペラ１０が回転し、ケーシング１内の流通路３内の冷却水が、管路の軸方向に送られ、図１の右から左に冷却水が送給される。インペラ１０は軸流型であるから、配管を通過した冷却水は、ケーシング１内の流通路３内を軸方向に円滑に流通する。
【００１９】
このように、上記構造の冷却水用ポンプは、冷却水用管路に接続した場合、殆ど突出部がない状態で管路と一体化されて装着することができ、ポンプが占める占有スペースは小さく、狭いスペースでも設置することができる。また、モータ５はモータケース部４内に密閉収納され、それがケーシング１の外壁部２で包囲される構造であるから、モータの作動音や流水音を遮蔽し、低騒音化を実現することができる。
【００２０】
図３、図４は他の実施形態の冷却水用ポンプを示している。この例では、モータ５の端部に端子受け部５ｃを設け、その端子受け部５ｃに、外部端子部２８の端子差込み部２９を、外部から差し込んで接続可能としている。上記実施形態と同様な部分については、上記と同じ符号を図面に付してその説明を省略する。
【００２１】
ケーシング２１は、上記と同様に、円筒型の外壁部２２の内側に、モータケース部２４を配設し、モータケース部２４の外周部で外壁部２２との間に、冷却水の流通路２３を形成して構成される。
【００２２】
モータケース部２４と外壁部２２は、上部に設けた連結部２６と下部に設けた連結部２７により連結され、連結部２６，２７は、放射状で且つ軸方向と直角に形成され、連結部２６，２７の周囲に流通路２３が形成される。モータケース部２４内にモータ５が配設され、モータケース部２４の前部にはケースカバー８が被せられ、モータ５の回転軸５ａがケースカバー８から前方に突出して配置される。
【００２３】
モータ５の端部に端子受け部５ｃが設けられ、この端子受け部５ｃには、外部から差し込まれる外部端子部２８の端子差込み部２９を受け入れる受け部が設けられている。そして、端子差込み部２９を差し込むために、下部の連結部２７に挿入孔２７ａが形成されている。この挿入孔２７ａは外壁部２２の外側に開口し、その外壁部２２の外側から、外部端子部２８の端子差込み部２９を差し込むように構成される。
【００２４】
製造工程で、モータ５をモータケース部２４内に装着する場合、モータ５をモータケース部２４内に定位置に挿入し、その前部にケースカバー８を嵌め込み、溶着などで固定する。次に、ケーシング２１の外側から外部端子部２８を固定する。このとき、外部端子部２８の内側に突出した端子差込み部２９を、外壁部２２の所定位置に開口した挿入孔２７ａに差し込むようにして、外部端子部２８を外壁部２２に固定する。これにより、挿入孔２７ａに差し込まれた端子差込み部２９の先端がモータ５の端子受け部５ｃに差し込まれ、電気的に接続された状態となる。このように、ケーシング２１内のモータケース部２４内に密閉収納されたモータ５への端子接続を、外部から端子差込み部２９を差し込むだけの簡単な作業で、モータ５の端子接続を確実に行なうことができる。
【００２５】
また、上記と同様に、この冷却水用ポンプは、冷却水用の配管にその両側の吸入管１１と吐出管１３を直列に接続して使用されるが、図３，４に示すように、ポンプのケーシング２１は、その両側の吸入管１１と吐出管１３が接続される配管から突出する部分が小さく、配管の外形の略延長上にケーシング２１の外壁が位置するから、冷却水用の配管と略一体化してポンプが装着され、ポンプの占有スペースは非常に小さくなり、狭い空間内に配設された管路でも、他の部材と干渉せずにポンプを装着することができる。
【００２６】
また、上記と同様に、モータ５が回転駆動されると、その回転軸５ａの回転によってインペラ１０が回転し、ケーシング２１内の流通路２３内の冷却水が、管路の軸方向に送られ、図３の右から左に冷却水が送給されるが、インペラ１０は軸流型であるから、配管を通過した冷却水は、ケーシング２１内の流通路２３内を軸方向に円滑に流通する。
【００２７】
【発明の効果】
以上説明したように、本発明の冷却水用ポンプによれば、冷却水用管路に接続した場合、殆ど突出部がない状態で管路と一体化されて装着することができ、ポンプが占める占有スペースは小さく、狭いスペースでも設置することができ、これによって、ポンプの配置設計の自由度を向上させることができる。また、モータはモータケース部内に密閉収納され、それがケーシングの外壁部２で包囲される構造であるから、モータの作動音や流水音を遮蔽し、低騒音化を実現することができる。
【図面の簡単な説明】
【図１】本発明の一実施形態を示す冷却水用ポンプの軸方向の断面図である。
【図２】図１のＩＩ−ＩＩ断面図である。
【図３】他の実施形態の冷却水用ポンプの軸方向の断面図である。
【図４】図３のＩＶ−ＩＶ断面図である。
【符号の説明】
１−ケーシング
２−外壁部
３−流通部
４−モータケース部
５−モータ
５ｂ−リード線
６−連結部
７−連結部
７ａ−リード線通路
１０−インペラ
【図１】
2004019511.tif 000003
【図２】
2004019511.tif 000004
【図３】
2004019511.tif 000005
【図４】
2004019511.tif 000006